(57)【要約】【課題】  指向性を有さず、あらゆる方向からの電波を効率的に受信することができると共に、広帯域にわたって良好な特性を得ることができるアンテナを提供することを目的とする。【解決手段】  中心部に立設されているロッド１０の外周側に半径方向外周側に向って凸になるようにほぼ円弧状に湾曲された複数枚の湾曲板を配列する。これにより、無指向性の特性が得られると共に、複数の湾曲板がアンテナエレメントとなるため、モノポールアンテナにおいてアンテナエレメントの表面積が増大したことになり、広帯域にわたって、良好な特性を得ることができる。【選択図】        図１
2006148967.tif 000002
【特許請求の範囲】
【請求項１】
中心部に立設されているロッドと、
前記ロッドに摺動可能に取り付けられている上側支持リングおよび下側支持リングと、
前記上側支持リングおよび下側支持リングの周囲に円周方向に沿って配列され、その上部が前記上側支持リングに取り付けられ、その下部が前記下側支持リングに取り付けられ、外周側に向って凸になるようにほぼ円弧状に湾曲され、各々の板は中央で膨らんだ形状をした複数枚の湾曲板と
を具備し、
前記湾曲板の上端部が前記上側支持リングを介してそれぞれ電気的に接続され、前記湾曲板の下端部が前記下側支持リングを介してそれぞれ電気的に接続されるようにしたことを特徴とするアンテナ。
【請求項２】
前記の上側支持リングおよび下側支持リングの前記ロッド上における間隔は、前記湾曲板が円弧状となる範囲で調整自在になっていることを特徴とする請求項１に記載のアンテナ。
【請求項３】
前記ロッドの下端がボールジョイントを介してベースに首振り自在に取付けられていることを特徴とする請求項１に記載のアンテナ。
【請求項４】
前記湾曲板が外周部に配されている前記ロッドがキャビネット内に収納自在になっていることを特徴とする請求項１に記載のアンテナ。
【発明の詳細な説明】
【技術分野】
【０００１】
本発明はアンテナに係り、とくに広帯域で、指向性が少なく、移動体通信等に用いて好適なアンテナに関する。
【背景技術】
【０００２】
無線通信の発達に伴って、各種のアンテナが用いられるようになっている。従来の固定式のアンテナとしては、中波ラジオ用としては、ループアンテナが用いられている。また、テレビ用やＦＭラジオ用としては、八木アンテナが用いられている。
【０００３】
また移動体用アンテナとしては、例えば特許文献１に示されるように、棒状をなす伸縮不能あるいは伸縮可能なロッドアンテナが広く用いられている。
【特許文献１】特開平０６−３１８８０７号公報
【発明の開示】
【発明が解決しようとする課題】
【０００４】
しかしながら、従来、固定式として用いられているループアンテナやダイポールアンテナは、８の字方向に指向性を有している。また、八木アンテナは、棒状をなす複数の素子を支持体を介して支持するようにしており、電波に対する指向性が極めて高い。このため、電波が受信できるように所定の方向に向けて正しく設置しなければならないという問題があった。また全体的に寸法が大きく、このために設置に大きなスペースを要する欠点があった。
また、従来、移動体通信用アンテナとして用いられているロッドアンテナは、水平方向に対しては無指向性となるが、受信の感度が悪く、場合によっては受信不能な状態を現出する問題があった。また、ロッドアンテナでは、帯域幅が狭いため、広帯域にわたって良好な感度を保つことができないという問題があった。
【０００５】
本発明はこのような問題点に鑑みてなされたものであって、とくに指向性が低く、各種の方向からの電波を効率的に受信することが可能であると共に、広帯域にわたって良好な特性を得ることができるアンテナを提供することを目的とする。
【課題を解決するための手段】
【０００６】
本発明は、中心部に立設されているロッドと、ロッドに摺動可能に取り付けられている上側支持リングおよび下側支持リングと、上側支持リングおよび下側支持リングの周囲に円周方向に沿って配列され、その上部が上側支持リングに取り付けられ、その下部が下側支持リングに取り付けられ、外周側に向って凸になるようにほぼ円弧状に湾曲され、各々の板は中央で膨らんだ形状をした複数枚の湾曲板とを具備し、湾曲板の上端部と下端部が上側支持リングおよび下側支持リング介してそれぞれ電気的に接続されるようにしたことを特徴とする。
【０００７】
好ましくは、上側支持リングおよび下側支持リングのロッド上における間隔は、湾曲板が円弧状となる範囲で調整自在になっていることを特徴とする。
【０００８】
好ましくは、ロッドの下端がボールジョイントを介してベースに首振り自在に取付けられていることを特徴とする。
【０００９】
好ましくは、湾曲板が外周部に配されているロッドがキャビネット内に収納自在になっていることを特徴とする。
【発明の効果】
【００１０】
本発明によれば、中心部に立設されているロッドと、ロッドに摺動可能に取り付けられている上側支持リングおよび下側支持リングと、上側支持リングおよび下側支持リングの周囲に円周方向に沿って配列され、その上部が上側支持リングに取り付けられ、その下部が下側支持リングに取り付けられ、外周側に向って凸になるようにほぼ円弧状に湾曲され、各々の板は中央で膨らんだ形状をした複数枚の湾曲板とを具備し、湾曲板１１が全体に１つのアンテナとして動作するために、複数の湾曲板１１の上端は支持リング１５を介してそれぞれ電気的に接続され、複数の湾曲板１１の下端は支持リング１６を介してそれぞれ電気的に接続されている。これにより、水平方向に無指向性の特性が得られると共に、複数の湾曲板がアンテナエレメントとなるため、モノポールアンテナにおいてアンテナエレメントの表面積が増大したことになり、広帯域にわたって、良好な特性を得ることができる。
【００１１】
また、本発明によれば、上側支持リングおよび下側支持リングのロッド上における間隔は、湾曲板が円弧状となる範囲で調整自在になっており、上下の支持リング間の間隔を調整することによって、湾曲板の湾曲の度合あるいはその開き量を調整することが可能になり、これによって感度の調整が可能になる。
【００１２】
また、本発明によれば、ロッドの下端がボールジョイントを介してベースに首振り自在に取付けられているので、アンテナの角度を偏波面に応じて最適な方向に調整することが可能になる。
【００１３】
また、本発明によれば、湾曲板が外周部に配されているロッドがキャビネット内に収納自在になっているので、不使用時に湾曲板をキャビネット内に収納することが可能になり、これによって携帯電話等の移動携帯機器に用いることが可能なアンテナを提供することが可能になる。
【発明を実施するための最良の形態】
【００１４】
図１〜図４は本発明の第１の実施の形態に係る固定用アンテナを示すものであって、このアンテナは中心部に立設されているロッド１０と、このロッド１０の外周側にほぼ等間隔で配列されている複数枚の外周側に湾曲した湾曲板１１とから構成されている。なおロッド１０は金属、例えば真鍮の外周側にメッキを施したものであってよい。また湾曲板１１としてはリン青銅板、ステンレス鋼板等が用いられる。
【００１５】
ロッド１０上には上下に支持リング１５、１６が摺動可能に取付けられている。上側の支持リング１５の下面には段部１７が形成され、下側の支持リング１６の上面には段部１８が形成されている。そしてこれらの段部１７、１８によって湾曲板１１の上下の端部が受けられるようになっている。なお支持リング１５、１６はそれぞれ固定用ボルト１９によってロッド１０上において所定の高さに調整された状態で固定されている。また湾曲板１１の上下の部分はそれぞれカールされてカール部２０を形成するとともに、これらのカール部２０内を挿通する連結ワイヤ２１によって連結された状態で支持リング１５、１６に取付けられるようになっている。湾曲板１１が全体に１つのアンテナとして動作するために、複数の湾曲板１１の上端は支持リング１５を介してそれぞれ電気的に接続され、複数の湾曲板１１の下端は支持リング１６を介してそれぞれ電気的に接続されている。
【００１６】
ロッド１０の下端側にはボール２５が固着されている。ボール２５はボール受け２６によって首振り自在に支持されるようになっている。すなわちボール受け２６の上面には円弧状をなす凹部２７が設けられており、この凹部２７に上記ボール２５が受入れられている。そしてボール受け２６にはほぼ十字状に直交するようにスリット２８が形成されるとともに、これらのスリット２８を挟むようにボール受け２６の外側部であってその４辺にはそれぞれ突片２９が対向するように設けられている。そしてスリット２８を介して対峙する一対の突片２９は締付け用ボルト３０によって締付けられるようになっており、これによって所定の姿勢でボール２５をボール受け２６に固定するようにしている。ボール受け２６の下部はベース３１によって受けられるようになっている。
【００１７】
従ってこのようなアンテナを使用する場合には、これに先立ってまずロッド１０の向きを調整する。すなわち締付け用ボルト３０を緩め、ボール２５をボール受け２６の凹部２７に対して自由な状態でロッド１０の傾きの調整とその方向の調整とをそれぞれ行なう。そして所定の位置において締付け用ボルト３０を締付ける。
【００１８】
次にロッド１０上における上下の支持リング１５，１６間の距離の調整を行なう。固定用ボルト１９を緩め、一方の支持リング１５または１６を他方の支持リング１６または１５に対して移動調整することにより、上下の支持リング１５、１６間の距離が調整される。支持リング１５、１６間の距離が小さくなると、湾曲板１１が外周方向に大きく湾曲するようになり、その曲率半径が小さくなる。これに対して支持リング１５、１６間の距離を大きくすると、湾曲板１１の湾曲の度合が少なくなり、その長さ方向の中間部がロッド１０の軸線に近接するようになり、湾曲板１１の曲率半径が大きくなる。従って支持リング１５、１６の距離を調整することにより、複数枚の湾曲板１１の膨みを調整する。湾曲板１１の膨みによって、とくに電波の受信の度合が調整される。
【００１９】
本実施の形態に係るアンテナは、各種の無線に適用可能であって、テレビジョン受像機のＶＨＦ、ＵＨＦの電波や衛星放送の電波を受信することができる。またラジオ受信機のＡＭの電波、ＦＭの電波、中波等の各種の受信が可能である。さらには防災無線の固定局用アンテナとして利用可能である。さらにこのようなアンテナは、列車、自動車、船舶等のアンテナとして用いることが可能である。
【００２０】
次に別の実施の形態を図５〜図７によって説明する。この実施の形態は、複数枚の湾曲板１１を外周側に備えて成るアンテナをキャビネット３７に対して摺動自在にしたものである。複数枚の湾曲板１１の中心部に立設されるロッドは図６および図７に示すように外管３５と、この外管３５に対して伸縮自在に嵌合されている中心部ロッド３６とから構成されている。そして不使用時においては、図６に示すように外管３５内に中心部ロッド３６が収納されるとともに、外管３５がキャビネット３７の円形の開口３８内に収納されるようになっている。
【００２１】
使用時においては円形の開口３８を通して外管３５と中心部ロッド３６とを引出すとともに、伸長することによって図５および図７のような状態になる。そしてこのときに上下の支持リング１５、１６間の距離を収納時よりも短くすることによって、湾曲板１１が開くように湾曲される。従って任意の方向からの電波を受信することが可能になる。このような電波は、とくに携帯電話、あるいはＰＨＳ式の電話のアンテナとして用いて好適なものである。
【産業上の利用可能性】
【００２２】
本発明は、各種の無線に適用可能であって、テレビジョン受像機のＶＨＦ、ＵＨＦの電波や衛星放送の電波を受信することができる。またラジオ受信機のＡＭの電波、ＦＭの電波、中波等の各種の受信が可能である。さらには防災無線の固定局用アンテナとして利用可能である。さらに、このようなアンテナは、列車、自動車、船舶等のアンテナとして用いることが可能である。
【図面の簡単な説明】
【００２３】
【図１】第１の実施の形態に係るアンテナの外観斜視図である。
【図２】同縦断面図である。
【図３】同平面図である。
【図４】支持部の構造を示す平面図である。
【図５】別の実施の形態のアンテナの外観斜視図である。
【図６】同収納状態の縦断面図である。
【図７】引出された状態の縦断面図である。
【符号の説明】
【００２４】
１０ ロッド
１１ 湾曲板
１５ 支持リング（上側）
１６ 支持リング（下側）
１７、１８段部
１９ 固定用ボルト
２０ カール部
２１ 連結ワイヤ
２５ ボール
２６ ボール受け
２７ 凹部
２８ スリット
２９ 突片
３０ 締付け用ボルト
３１ ベース
３５ 外管
３６ 中心部ロッド
３７ キャビネット
３８ 円形の開口
【図１】
2006148967.tif 000003
【図２】
2006148967.tif 000004
【図３】
2006148967.tif 000005
【図４】
2006148967.tif 000006
【図５】
2006148967.tif 000007
【図６】
2006148967.tif 000008
【図７】
2006148967.tif 000009